(57)【特許請求の範囲】
【請求項１】
燃焼器のハウジング内に取り付けられる内部タンクの取付構造において、
上記ハウジングには外部配管と着脱可能に接続される外部継手が貫通した状態で配設され、
上記内部タンクには上記外部継手の内側端部に対し前後方向からの嵌合により着脱可能に接続される接続継手と、支持ブラケットとが予め一体に固定され、
上記内部タンクは、上記接続継手が上記外部継手に対し嵌合されて接続される一方、上記支持ブラケットが上記ハウジングに対し連結されて固定されている
ことを特徴とする燃焼器に対する内部タンクの取付構造。
【請求項２】
燃焼器のハウジング内に取り付けられる内部タンクの取付構造において、
上記ハウジングには外部配管と着脱可能に接続される外部継手が貫通した状態で配設され、
上記内部タンクには上記外部継手の内側端部に対し前後方向からの嵌合により着脱可能に接続される接続継手と、支持ブラケットとが一体に固定され、
上記ハウジングを構成する底部には、この底部上面に上記支持ブラケットを介して載置させた内部タンクを上記外部継手に向けて前方に移動させることにより、上記接続継手が外部継手の内側端部に嵌合した状態で上記支持ブラケットと当接する連結片部が上方に向けて形成されている
ことを特徴とする燃焼器に対する内部タンクの取付構造。
【請求項３】
請求項２に記載の燃焼器に対する内部タンクの取付構造であって、
ハウジングの底部上面には前後方向に延びる溝状の長孔が形成され、
支持ブラケットはその前側部位に上記長孔に対し上から入り込む当止片が下方に向けて突出形成される一方、後側部位が連結片部に当接するように構成されている、燃焼器に対する内部タンクの取付構造。
【請求項４】
請求項２に記載の燃焼器に対する内部タンクの取付構造であって、
ハウジングの底部上面には前後方向に延びるスリット孔が形成され、
支持ブラケットはその前側部位に上記スリット孔に対し上から入り込みかつそのスリット孔の前端を上下から挟み込む挟み付け片が形成される一方、後側部位が連結片部に当接するように構成されている、燃焼器に対する内部タンクの取付構造。
【請求項５】
請求項４に記載の燃焼器に対する内部タンクの取付構造であって、
外部継手の内側端部に形成された接続継手の受入口の先端開口縁には、スリット孔と挟み付け片との間の左右方向の隙間寸法に接続端部の先端外径を加えた寸法よりも大きくなる範囲に外方に向けて拡がるテーパ面が形成されている、燃焼器に対する内部タンクの取付構造。
【請求項６】
請求項１〜請求項５のいずれかに記載の燃焼器に対する内部タンクの取付構造であって、
ハウジングの底部にはこの底部上面から立ち上がるように補強ブラケットが固定され、
外部継手は上記補強ブラケットに対し貫通状態で固定されている、燃焼器に対する内部タンクの取付構造。
【請求項７】
請求項１〜請求項６のいずれかに記載の燃焼器に対する内部タンクの取付構造であって、
接続継手はその端面が内部タンクとの間でシーリング部材を前後方向から挟み付けた状態で上記内部タンクに対し前後方向からねじ込まれることにより固定されている、燃焼器に対する内部タンクの取付構造。
【請求項８】
請求項１〜請求項６のいずれかに記載の燃焼器に対する内部タンクの取付構造であって、
接続継手と外部継手とは、両者間に複数のシール用Ｏリングが介装された状態で嵌合されるように構成されている、燃焼器に対する内部タンクの取付構造。
【請求項９】
燃焼器のハウジング内に取り付けられる内部タンクの取付構造において、
上記ハウジングの底部上面には上方に向けて延びる補強ブラケットが固定され、この補強ブラケットに対し外部配管と着脱可能に接続される外部継手が貫通した状態で配設され、
上記内部タンクには、外側方に突出して上記外部継手の内側端部に対し前後方向からの嵌合により着脱可能に接続される接続継手と、前後位置から下方に延びる一対の支持脚部を有する支持ブラケットとが一体に固定され、
上記ハウジングの底部上面には、上記支持ブラケットの前側支持脚部の一部を下方に突出させた当止片が入り込んで前後方向の移動を案内する長孔と、上方に立ち上がり上記支持ブラケットの後側支持脚部が連結される連結片部とが形成され、
上記内部タンクと外部継手とは、上記支持ブラケットを介して上記ハウジングの底部上面に内部タンクを載置した状態で上記接続継手と外部継手との上下方向の位置決めが行われる一方、上記支持ブラケットの当止片が上記長孔に入り込んだ状態で上記接続継手と外部継手との左右方向の位置決めが行われ、かつ、上記内部タンクを外部継手に向けて前方に移動させることにより上記接続継手が外部継手に対し嵌合されるように位置設定されている
ことを特徴とする燃焼器に対する内部タンクの取付構造。
【請求項１０】
燃焼器のハウジング内に取り付けられる内部タンクの取付構造において、
上記ハウジングの底部上面には上方に向けて延びる補強ブラケットが固定され、この補強ブラケットに対し外部配管と着脱可能に接続される外部継手が貫通した状態で配設され、
上記内部タンクには、外側方に突出して上記外部継手の内側端部に対し前後方向からの嵌合により着脱可能に接続される接続継手と、前後両側位置から下方に延びる一対の支持脚部及び左右両側位置から下方に延びる一対の挟み付け片を有する支持ブラケットとが一体に固定され、
上記ハウジングの底部上面には、上記支持ブラケットの一対の挟み付け片が入り込んで前端が各挟み付け片により上下から挟み付けられる一対のスリット孔と、上方に立ち上がり上記支持ブラケットの後側支持脚部が連結される連結片部とが形成され、
上記内部タンクと外部継手とは、上記支持ブラケットを介して上記ハウジングの底部上面に内部タンクを載置した状態で上記接続継手と外部継手との上下方向の位置決めが行われる一方、上記支持ブラケットの一対の挟み付け片がそれぞれ上記スリット孔に入り込んだ状態で上記接続継手と外部継手との左右方向の位置決めが行われ、かつ、上記内部タンクを外部継手に向けて前方に移動させることにより上記接続継手が外部継手に対し嵌合されると同時に、上記各挟み付け片がスリット孔の前端を上下から挟み付けるように位置設定されている
ことを特徴とする燃焼器に対する内部タンクの取付構造。
【発明の詳細な説明】
【０００１】
【発明の属する技術分野】
本発明は、燃焼器のハウジング内に取り付けられる湯水貯留用もしくは液体燃料貯留用の内部タンクの取付構造に関する。
【０００２】
【従来の技術】
液体燃料（例えば石油）を燃料とする燃焼器においては、例えば図１１に示すように比較的大容量の外部タンク１００を外部に設置する一方、この外部タンク１００とは別に比較的小容量の内部タンク１０１を燃焼器のハウジング１０２内に配設し、上記外部タンク１００から外部配管１０３を通して燃料の供給を受けて内部タンク１０１内に常に一定容量の燃料を貯留させることが従来より行われている。この場合には、上記ハウジング１０２の側壁部（例えばサイドカバー）に上記外部配管１０３を接続するための外部継手１０４を固定しておく一方、上記ハウジング１０２内に取り付けた内部タンク１０１から延びる送油管１０５を上記外部継手１０４の内側端に接続させるようにしている。そして、上記外部タンク１００から外部配管１０３、外部継手１０４及び送油管１０５を通して燃料が内部タンク１０１に供給されて貯留され、この貯留された燃料を内部タンク１０１から燃焼器の燃焼部１０６に対し供給させるようになっている。
【０００３】
このような内部タンク１０１は、平面図を示す図１２及び図１２のＢ−Ｂ線から見た図１３に示すように上部に燃料供給用の電磁ポンプ１０７が固定される一方、下部に支持ブラケット１０８が固定されており、この支持ブラケット１０８を介してハウジング１０２内の底部上面にビス１０９，１０９止めにより取り付けられている。加えて、上記送油管１０５の下流端１０５ａが上記内部タンク１０１に対しねじ込まれて連結され、上流端１０５ｂが上記外部継手１０４に対し連結されている。
【０００４】
【発明が解決しようとする課題】
ところが、上記の内部タンクの取付構造においては、ハウジング１０２内において内部タンク１０１を取付けるためのスペースとしてかなりの広さが必要となる上に、その内部タンク１０１の取付けや交換のための作業にかなり手間取ることになる等の種々の不都合がある。
【０００５】
すなわち、送油管１０５の下流端１０５ａ（図１３参照）を内部タンクに対し所定方向からねじ込んで予め連結した状態で内部タンク１０１の取付けを行う必要があるため、外部継手１０４に連結させる上流端１０５ｂまでの間の送油管１０５（図１２参照）を屈曲させて配置せざるを得ず、この送油管１０５の配置のためのスペースが余分に必要になる。そして、僅かなスペースの増大でも燃焼器のハウジング１０２の全体に大きな影響を及ぼすことになる。また、送油管１０５の上流端１０５ｂを外部継手１０４の内側端に連結するための締め付け部材（例えばファスナ類）１１０等の細かな部品も必要となる。さらに、内部タンク１０１には振動発生源となる電磁ポンプ１０７が付設されているため、上記支持ブラケット１０８を少なくとも２点以上の箇所でビス止め等１０９，１０９により固定して内部タンク自体や送油管等のびびり音の発生を防止する必要がある。このため、狭い部分でのビス止め作業を要し、製造時の取付作業はともかくとしても使用途中で発生する内部タンク１０１の交換作業においてはビス１０９，１０９の取り外し、再取付けが極めて手間取るものとなる。
【０００６】
本発明は、このような事情に鑑みてなされたものであり、その目的とするところは、省スペース化を図り燃焼器のハウジングのコンパクト化を実現し、また、取付・交換作業の大幅な容易化や、部品点数の削減化を図り得る燃焼器に対する内部タンクの取付構造を提供することにある。
【０００７】
【課題を解決するための手段】
上記目的を達成するために、請求項１に係る発明では、燃焼器のハウジング内に取り付けられる内部タンクの取付構造を対象として、次の特定事項を備えるようにした。すなわち、上記ハウジングに対し外部配管と着脱可能に接続される外部継手を貫通した状態で配設し、上記内部タンクに対し上記外部継手の内側端部に対し前後方向からの嵌合により着脱可能に接続される接続継手と、支持ブラケットとを予め一体に固定しておく。そして、上記内部タンクが、上記接続継手を上記外部継手に対し嵌合して接続させる一方、上記支持ブラケットを上記ハウジングに対し連結させて固定されるようにした。
【０００８】
この請求項１によれば、内部タンクがこれに一体に固定された接続継手を介してハウジングの外部継手に対し直接に嵌合接続されるため、従来構造で必要としていた接続継手と外部継手とを互いに連通させるための配管が不要となる上に、その配管を配設するスペースも不要となる。このため、省スペース化及びこれに伴う燃焼器のハウジングのコンパクト化と、部品点数の削減化が図られる。さらに、上記内部タンクが上記の接続継手と外部継手との嵌合接続による連結と、支持ブラケットのハウジングへの連結との２箇所においてハウジング内に確実に取り付け固定されることになる。このため、上記内部タンクに電磁ポンプ等の振動発生源が取り付けられていてもびびり音等が発生することを防止し得る。なお、この請求項１における上記支持ブラケットを連結・固定する対象であるハウジングは、ハウジングを構成する底部もしくは側壁部のいずれでもよい。また、同様に、上記外部継手を貫通状態で配設するハウジングの部位も、そのハウジングの側壁部もしくは底部のいずれでもよい。
【０００９】
また、請求項２に係る発明では、燃焼器のハウジング内に取り付けられる内部タンクの取付構造を対象として、上記ハウジングに対し外部配管と着脱可能に接続される外部継手を貫通した状態で配設し、上記内部タンクに対し、上記外部継手の内側端部に対して前後方向からの嵌合により着脱可能に接続される接続継手と、支持ブラケットとを一体に固定する。そして、上記ハウジングを構成する底部に対し、この底部上面に上記支持ブラケットを介して載置させた内部タンクを上記外部継手に向けて前方に移動させることにより、上記接続継手が外部継手の内側端部に嵌合した状態で上記支持ブラケットと当接する連結片部を上方に向けて形成することとした。
【００１０】
この請求項２によれば、内部タンクに一体に固定した接続継手が外部継手に対し直接に嵌合接続されると同時に、上記内部タンクに一体に固定した支持ブラケットがハウジング側の連結片部に当接した状態で連結される。これにより、内部タンクが外部継手と連結片部との２箇所で位置固定された状態でハウジング内において確実に取り付け固定されることになる。このため、従来の取付構造における送油管等を省略して省スペース化や部品点数の削減が図られる上に、上記内部タンクに電磁ポンプ等の振動発生源が取り付けられていてもびびり音等が発生することを防止し得る。加えて、内部タンクを上記外部継手に向けて前方に移動させるだけで、接続継手と外部継手との嵌合による接続作業と、支持ブラケットとハウジング側の連結片部との連結作業とが可能になるため、内部タンクのハウジング内への取付け作業が容易になる。この際、支持ブラケットが連結片部に当接するまで内部タンクを前方に移動させるだけで位置決めが行われるため、取付作業の容易性に加え、正確な取付けをも同時に実現し得ることになる。
【００１１】
上記請求項２においては、次の第１及び第２の構成を選択的に付加することができる。すなわち、第１の構成は、ハウジングの底部上面に対し前後方向に延びる溝状の長孔を形成し、支持ブラケットの前側部位に上記長孔に対し上から入り込む当止片を下方に向けて突出形成する一方、後側部位を連結片部に当接させる構成である（請求項３）。この場合には、当止片が長孔に入り込むことにより内部タンクの外部継手側の前方に向けての移動が左右方向への変位を規制した状態で案内される上に、長孔の前端に当止片が当接することにより接続継手と外部継手との嵌合程度の位置決めを果たさせることも可能になる。
【００１２】
第２の構成は、ハウジングの底部上面に対し前後方向に延びるスリット孔を形成し、支持ブラケットの前側部位に上記スリット孔に対し上から入り込みかつそのスリット孔の前端を上下から挟み込む挟み付け片を形成する一方、後側部位を連結片部に当接させる構成である（請求項４）。この場合には、挟み付け片がスリット孔に入り込むことにより内部タンクの外部継手側の前方に向けての移動が左右方向への変位を規制した状態で案内される上に、挟み付け片がスリット孔の前端を上下から挟み込むことにより内部タンクの上下方向への相対変位を確実に阻止させることが可能になる。
【００１３】
上記第２の構成においては、外部継手の内側端部に形成した接続継手の受入口の先端開口縁に対し、スリット孔と挟み付け片との間の左右方向の隙間寸法に接続端部の先端外径を加えた寸法よりも大きくなる範囲に外方に向けて拡がるテーパ面を形成するようにしてもよい（請求項５）。この場合には、上記隙間寸法分だけ左右方向にがたついたとしても、上記接続継手の先端がテーパ面を有する受入口に当たり、これにより、接続継手を確実に外部継手に嵌合するように案内させることが可能になる。その上に、上記接続継手の先端部にＯリング等のシーリング部材が配設されていても、そのシーリング部材が上記テーパ面により確実に保護され、シーリング部材の損傷発生に伴うシール性悪化の発生を防止することが可能になる。
【００１４】
以上の請求項１〜請求項５のいずれかハウジングの底部に対しこの底部上面から立ち上がるように補強ブラケットを固定し、外部継手を上記補強ブラケットに対し貫通状態で固定することもできる（請求項６）。この場合には、接続継手が嵌合される外部継手を確実に所定位置に設置することが可能になり、上記接続継手との位置決めや嵌合による接続がより確実に行い得ることになる。
【００１５】
また、上記請求項１〜請求項６のいずれかの接続継手と内部タンクとの固定において、接続継手の端面が内部タンクとの間でシーリング部材を前後方向から挟み付けた状態で上記内部タンクに対し前後方向からねじ込まれることにより固定される構成としてもよい（請求項７）。この場合、接続継手がねじ込まれることによりシーリング部材が圧縮されるため、接続継手と内部タンクとのシール性を増大させることが可能になる。
【００１６】
さらに、上記請求項１〜請求項６のいずれかの接続継手と外部継手との嵌合において、その接続継手と外部継手とを、両者間に複数のシール用Ｏリングが介装された状態で嵌合される構成としてもよい（請求項８）。この場合、接続継手と外部継手とが嵌合された状態では、これらの両者間に複数のシール用Ｏリングが介装されているため、ように確実なシーリングを図ることができる。
【００１７】
請求項９に係る発明では、燃焼器のハウジング内に取り付けられる内部タンクの取付構造を対象として、以下の各特定事項を備えるものとした。すなわち、上記ハウジングの底部上面に上方に向けて延びる補強ブラケットを固定し、この補強ブラケットに対し外部配管と着脱可能に接続される外部継手を貫通した状態で配設する。上記内部タンクに対し、外側方に突出して上記外部継手の内側端部に対し前後方向からの嵌合により着脱可能に接続される接続継手と、前後位置から下方に延びる一対の支持脚部を有する支持ブラケットとを一体に固定する。上記ハウジングの底部上面に、上記支持ブラケットの前側支持脚部の一部を下方に突出させた当止片が入り込んで前後方向の移動を案内する長孔と、上方に立ち上がり上記支持ブラケットの後側支持脚部が連結される連結片部とを形成する。そして、上記内部タンクと外部継手とを、上記支持ブラケットを介して上記ハウジングの底部上面に内部タンクを載置した状態で上記接続継手と外部継手との上下方向の位置決めが行われる一方、上記支持ブラケットの当止片が上記長孔に入り込んだ状態で上記接続継手と外部継手との左右方向の位置決めが行われ、かつ、上記内部タンクを外部継手に向けて前方に移動させることにより上記接続継手が外部継手に対し嵌合されるように位置設定する。
【００１８】
この請求項９によれば、内部タンクに一体に固定した接続継手が外部継手に対し直接に嵌合接続される等の請求項１もしくは請求項２による作用の全てが得られる上に、内部タンクに一体に固定された接続継手と、外部継手との嵌合作業が上下方向及び左右方向に対し確実に位置決めされた状態で内部タンクの前方移動だけで自動的に完了させることが可能になる。
【００１９】
また、請求項１０に係る発明では、燃焼器のハウジング内に取り付けられる内部タンクの取付構造を対象として、以下の各特定事項を備えるものとした。すなわち、上記ハウジングの底部上面に上方に向けて延びる補強ブラケットを固定し、この補強ブラケットに対し外部配管と着脱可能に接続される外部継手を貫通した状態で配設する。上記内部タンクに、外側方に突出して上記外部継手の内側端部に対し前後方向からの嵌合により着脱可能に接続される接続継手と、前後両側位置から下方に延びる一対の支持脚部及び左右両側位置から下方に延びる一対の挟み付け片を有する支持ブラケットとを一体に固定する。上記ハウジングの底部上面に、上記支持ブラケットの一対の挟み付け片が入り込んで前端が各挟み付け片により上下から挟み付けられる一対のスリット孔と、上方に立ち上がり上記支持ブラケットの後側支持脚部が連結される連結片部とを形成する。上記内部タンクと外部継手とを、上記支持ブラケットを介して上記ハウジングの底部上面に内部タンクを載置した状態で上記接続継手と外部継手との上下方向の位置決めが行われる一方、上記支持ブラケットの一対の挟み付け片がそれぞれ上記スリット孔に入り込んだ状態で上記接続継手と外部継手との左右方向の位置決めが行われ、かつ、上記内部タンクを外部継手に向けて前方に移動させることにより上記接続継手が外部継手に対し嵌合されると同時に、上記各挟み付け片がスリット孔の前端を上下から挟み付けるように位置設定する。
【００２０】
上記請求項１０によれば、内部タンクに一体に固定した接続継手が外部継手に対し直接に嵌合接続される等の請求項１による作用の全てが得られる上に、内部タンクに一体に固定された接続継手と、外部継手との嵌合作業が上下方向及び左右方向に対する変位を確実に規制して位置決めした状態で内部タンクの前方移動だけで自動的に完了させることが可能になる。しかも、上記嵌合作業が完了した状態では上記各挟み付け片により内部タンクをその変位が確実に阻止された状態に固定することが可能になる。
【００２１】
【発明の効果】
以上、説明したように、請求項１〜請求項８のいずれかの燃焼器に対する内部タンクの取付構造によれば、内部タンクが接続継手と外部継手との嵌合による直接的な接続と、支持ブラケットのハウジングへの連結との２箇所で位置固定された状態でハウジング内において確実に取り付け固定され、従来の取付構造における送油管等を省略して省スペース化や部品点数の削減を図ることができる上に、上記内部タンクに電磁ポンプ等の振動発生源が取り付けられていてもびびり音等の発生を確実に防止することができる。
【００２２】
特に、請求項２によれば、上記の効果に加え、内部タンクのハウジング内への取付作業において正確な位置決めと、作業の容易性とを同時に実現させることができる。
【００２３】
請求項３によれば、上記請求項２において、当止片と長孔との組み合わせにより内部タンクの外部継手側の前方に向けての移動を、左右方向への変位を規制した状態で案内させることができる上に、長孔の前端に当止片が当接することにより接続継手と外部継手との嵌合程度の位置決めを果たさせることができるようになる。
【００２４】
請求項４によれば、上記請求項２において、挟み付け片とスリット孔との組み合わせにより内部タンクの外部継手側の前方に向けての移動を、左右方向への変位を規制した状態で案内させることができる上に、挟み付け片がスリット孔の前端を上下から挟み込むことにより内部タンクの上下方向への相対変位を確実に阻止することができるようになる。
【００２５】
請求項５によれば、請求項４の効果に加えて、左右方向への微小ながたつきが生じたとしても、接続継手を確実に外部継手に嵌合するように案内させることができる上に、上記接続継手の先端部にＯリング等のシーリング部材が配設されていても、そのシーリング部材を上記テーパ面により確実に保護してシーリング部材の損傷発生に伴うシール性悪化の発生を防止することができる。
【００２６】
請求項６によれば、接続継手が嵌合される外部継手を確実かつ正確に所定位置に設置することができ、上記接続継手との位置決めや嵌合による接続をより確実に行うことができる。
【００２７】
請求項７によれば、接続継手のねじ込みにより圧縮されたシーリング部材によって、接続継手と内部タンクとのシール性を増大させることができる。
【００２８】
請求項８によれば、接続継手と外部継手との嵌合による接続を、複数のＯリングにより確実にシーリングされた状態で行うことができる。
【００２９】
請求項９によれば、請求項１又は請求項２による基本効果の全てを得ることができる上に、内部タンクに一体に固定された接続継手と、外部継手との嵌合作業を、上下方向及び左右方向に対し確実に位置決めされた状態で内部タンクの前方移動だけで自動的に完了させることができる。
【００３０】
また、上記請求項１０によれば、請求項１又は請求項２による基本効果の全てを得ることができる上に、内部タンクに一体に固定された接続継手と、外部継手との嵌合作業を上下方向及び左右方向に対する変位を確実に規制して位置決めした状態で内部タンクの前方移動だけで自動的に完了させることができる。しかも、上記各挟み付け片により内部タンクをその変位が確実に阻止された状態に固定することができる。
【００３１】
【発明の実施の形態】
以下、本発明の実施形態を図面に基づいて説明する。
【００３２】
＜第１実施形態＞
図１は本発明の第１実施形態として液体燃料を貯留するための内部タンク２の取付構造に本発明を適用した場合の取付完了状態の平面図を示し、図２は図１をＡ−Ａ線から見た拡大正面説明図を示す。この内部タンク２は燃焼器のハウジング１０２（図１１参照）内に取り付けられており、外部タンク１００から外部配管１０３を通して液体燃料が供給されて常に一定量（一定レベル）の液体燃料を貯留して燃焼器の燃焼部１０６に対しその液体燃料を供給するようになっている。
【００３３】
図１及び図２において、３はハウジングの底部を構成する底板、４はハウジングの側壁部を構成するサイドカバー、５は上記外部配管に接続される外部継手、６は内部タンク２の上部に固定されてタンク本体２１内の液体燃料を上記燃焼部１０６に供給するための電磁ポンプ、７は内部タンク２に固定された接続継手、８は内部タンク２の下面に固定された支持ブラケットである。上記内部タンク２は、タンク本体２１と、このタンク本体２１に対し固定された少なくとも上記接続継手７や支持ブラケット８とが一体に構成されたものである（図３参照）。
【００３４】
なお、詳細な図示を省略しているが、上記内部タンク２のタンク本体２１には、揺動するフロート及びこのフロートの揺動により開閉される弁により構成されたオイルレベラー機構と、上記外部タンクから供給された液体燃料をフィルタリングするためのフィルタとが内蔵されている。また、図２等の符号２０は地震時等に上記弁を強制閉作動する安全作動装置の解除スイッチである。
【００３５】
上記底板３には、図２及び図３に加えて図４にも示すように斜め上方に立ち上がる連結片部３１が切り起こしにより後側位置に形成され、外部継手５に向かう前後方向（図２の左右方向）に延びて所定溝幅に設定された溝状の長孔３２が前側位置に形成されている。また、サイドカバー４の内面に当接するよう補強ブラケット９が立設され、この補強ブラケット９が上記底板３に対しネジ止め９１等により固定されている。この補強ブラケット９に対し後述の外部継手５が貫通した状態で固定されている。そして、上記サイドカバー４には、このサイドカバー４を上記補強ブラケット９に当接させて底板３等に固定した状態で、上記外部継手５の外側端が外部に突出し得るように切り欠きもしくは孔（図示省略）が形成されている。なお、図４中の９３はサイドカバー４と補強ブラケット９とを連結するためのネジ孔である。
【００３６】
上記外部継手５は、図５にも示すように、上記補強ブラケット５及びサイドカバー４を貫通する中間胴部５１と、この中間胴部５１の先端側に接続用のネジ部５２１を外周面に有する外側端部５２と、上記中間胴部５１の基端側に拡径された鍔部５３及び内側端部５４とが一体に形成されたものである。そして、これらを前後方向に貫通して連通孔５５が形成され、この連通孔５５の基端側が所定内径に拡径されて受入孔５６が形成されている。上記外側端部５２に対し外部配管１０３（図１１参照）が連通接続されて上記ネジ部５２１によって着脱可能に連結されるようになっている。また、上記鍔部５３が上記補強ブラケット９に対し当接された状態でネジ９２，９２により固定されている。
【００３７】
そして、上記内側端部５４には、内部タンク２側の接続継手７を挿脱可能に嵌入させるための上記受入孔５６が開口され、その開口縁が外方に向けて拡がるテーパ面とされて受入口５６１が形成されている。この受入口５６の開口径ｄ1が後述の接続継手７の挿入部７１のＯリング７５を含めた外径ｄ2と、上記長孔３２の溝幅との関係で所定の寸法になるように定められている。この点については後述する。
【００３８】
上記接続継手７は内部タンク２に対し予め固定されるものであり、図５を主に参照して先端側から順に上記受入孔５６に嵌入される挿入部７１と、六角ナット部７２と、外周面にネジ部７３１を有する連結部７３とが一体に形成され、内部に前後方向に貫通する連通孔７４が形成されている。上記挿入部７１の外周面には少なくとも２段配置でＯリング７５，７５が外嵌されており、この両Ｏリング７５，７５を介して上記挿入部７１が上記受入孔５６内に密嵌してシールされるようになっている。上記連結部７３の基端面側には、上記連通孔７４の開口縁から外方に向かい徐々に拡径するようフレア加工が施された凹状円錐面７３２が形成され、この凹状円錐面７３２の先端開口側に平らな端面７３３が形成されている。
【００３９】
一方、上記内部タンク２のタンク本体２１の下部には、外部継手５側に向けて開口し上記連結部７３がねじ込まれる連結孔２２と、この連結孔２２に臨んで開口しタンク本体２１の内部の貯留空間に連通させる連通孔２３とが形成されている。上記連結孔２２の内周面には上記連結部７３のネジ部７３１に螺合するネジ部２２１が形成され、この連結孔２２と上記連通孔２３との境界位置には上記凹状円錐面に密着するように形成された凸状円錐面２４が形成されている。
【００４０】
そして、上記凸状円錐面２４の付け根位置にシーリング部材としての所定の小径Ｏリング１０を填め込んだ状態で上記連結部７３が連結孔２２にきつくねじ込まれ、その小径Ｏリング１０を上記端面７３３との間で圧縮させた状態で接続継手７が内部タンク２に対し固定される。これにより、上記凹状円錐面７３２と、凸状円錐面２４とが互いに密着されてシールされることになる。この際に、上記六角ナット部７２を用いて締結作業が行われる。
【００４１】
なお、シール性能については、上記両円錐面７３２，２４同士の密着により基本的には行われ、さらに上記小径Ｏリング１０により強化されるが、上記ネジ部７３１とネジ部２２１との間にシールテープの挟み込みもしくは接着剤の塗布によりシール性能のより一層の強化を図るようにしてもよい。
【００４２】
上記支持ブラケット８は、図２〜図４に示すように内部タンク２の下面が固定される基板部８０と、この基板部８０の前後方向両側位置のそれぞれから下方に延びる支持脚部８１，８２とを備えたものである。前側の支持脚部８１には下端縁に沿って折曲された端縁８１１が形成され、この端縁８１１の一側端位置には底板３の長孔３２に上からはまり込むように上記端縁８１１よりも下方に突出する位置決め用の当止片８１２が形成されている。
【００４３】
この当止片８１２と上記長孔３２の溝幅との間の隙間寸法δ（図６参照）は、当止片８１２を長孔３２内に入れ込むのに手間取らない範囲で可能な限り小さくなるように例えば０．５ミリ〜数ミリ程度の微小寸法に設定し、これにより、内部タンク２の左右方向（図２の紙面に直交する方向）への変位を規制しつつ前後方向への移動案内をするようにされている。しかしながら、取付作業時には上記隙間寸法δの分だけ左右方向へのがたつきを生じることになり、僅かではあってもこのがたつきに起因して接続継手７の外部継手５の受入口５６１への嵌入時の振れとなって表れる。そこで、受入口５６１の先端開口径ｄ1（図５参照）を上記隙間寸法δに関係付けて次式のようになるように設定している。
【００４４】
ｄ1＞ｄ2＋δ
つまり、受入孔５６の内径の如何に拘わらずこのような関係になるようにテーパ面の範囲を規定することにより、上記隙間寸法δに起因して接続継手７の挿入部７１を受入口５６１から押し入れる際に基準軸から左右方向に振れが生じたとしても、Ｏリング７５が受入口５６１のテーパ面に必ず当たり先端開口縁にはぶつからないようにしている。これにより、上記Ｏリング７５の損傷発生を確実に阻止することができ、損傷発生に伴うシール性低下の発生を回避してその後の良好なシール性の維持が図られることになる。
【００４５】
また、後側の支持脚部８２は斜め後方に延びるように傾斜され、同様に傾斜された連結片部３１に対し当接するようにされ、ネジ１１のねじ込み作業を上から斜め下方に向けて容易に行い得るようにされている。
【００４６】
そして、内部タンク２が支持ブラケット８により底板３上に支持された状態では、その内部タンク２に固定された接続継手７と、外部継手５とが上下方向に対し同じレベル上に位置付けられるようになっている。従って、上記接続継手７は当止片８１２を長孔３２に入れ込んだ状態で内部タンク２を支持ブラケット８により底板３上に載置した状態では、外部継手５と接続継手７との位置関係は左右方向に上記の隙間寸法δ分の微小な振れが生じるだけで略同軸上に位置付けられることになる。これにより、内部タンク２を前方に移動させて接続継手７を外部継手５に対し嵌入させる際に、外部継手５が隠れて見えなくても確実に位置決めし得るようにしている。また、長孔３２の前端に当止片８１２が当止し後側の支持脚部８２が連結片部３１に当接した状態で、接続継手７が外部継手５の受入孔５６内に嵌入して接続完了状態になるように、上記長孔３２の前端、連結片部３１や外部継手５等の位置関係が設定されている。
【００４７】
次に、取付手順について説明する。事前作業として、外部継手５を固定した補強ブラケット９を底板３に予め固定しておく一方、内部タンク２に対して電磁ポンプ６、接続継手７及び支持ブラケット８を予め固定して一体化しておく。
【００４８】
そして、一体化した内部タンク２を接続継手７が外部継手５に正対するようにし、当止片８１２が長孔３２の手前位置に入り込むように支持ブラケット８を底板３上に載置する（図４に二点鎖線で示す支持ブラケット８参照）。このまま、支持ブラケット８と共に内部タンク２の全体を前方（外部継手５側）にスライドさせ、上記当止片８１２が長孔３２の前端に当止されると同時に後側の支持脚部８２が連結片部３１に当接するまで押し込む（図４に一点鎖線で示す支持ブラケット８参照）。この当止及び当接の少し手前位置で挿入部７１の先端角部が外部継手５の受入口５６１のテーパ面に当たり、内部タンク２がそのまま前方に押し込まれることにより、上記テーパ面に案内されて挿入部７１が外部継手５の受入孔５６内に圧入気味に押し込まれ、上記支持ブラケット８の当止及び当接により接続継手７の外部継手５への嵌入による接続が完了する（図２参照）。最後に上記後側の支持脚部８２と連結片部３１とをネジ１１により連結すれば、内部タンク２の取付作業が完了する。この後、サイドカバー４等の外装カバーを装着すればよい。
【００４９】
メンテナンス上、内部タンク２の取り外しや交換が必要になった場合には、上記ネジ１１を外し、内部タンク２の全体を後方に引き抜くだけで、外部継手５から接続継手７を外すことができる。
【００５０】
以上の取付構造では１箇所のネジ１１止めと、接続継手７及び外部継手５の接続とにより内部タンク２が底板３に対し強固に固定され、電磁ポンプ６の作動によるびびり音の発生もない。しかも、取付作業は支持ブラケット８の後側位置でのネジ１１止めだけですむため、内部タンク２の一括取付けや、一括交換を行うことができる上に、それらの作業も極めて容易に行うことができる。しかも、その際に外部継手５が補強ブラケット９を介して底板３に固定されているため、サイドカバー４に対し外部継手５を固定する場合に比べ、接続継手７との相対位置関係を予め正確に設定することができる。
【００５１】
＜第２実施形態＞
図７及び図８は、本発明の第２実施形態を示す。この第２実施形態は底板３及び支持ブラケット８の各構成が第１実施形態と異なるのみであり、その他の構成要素は第１実施形態と同じである。このため、同じ構成要素については第１実施形態と同じ符号を付して、その詳細な説明を省略する。
【００５２】
上記底板３には、第１実施形態と同様な連結片部３１が切り起こしにより後側位置に形成され、外部継手５に向かう前後方向（図７の左右方向）に延びて所定溝幅に設定されたスリット状の一対のスリット孔３３，３３が前側位置において所定間隔でかつ互いに平行に形成されている。
【００５３】
一方、上記支持ブラケット８は、内部タンク２の下面が固定される基板部８０と、この基板部８０の前後方向両側位置のそれぞれから下方に延びる支持脚部８１，８２と、上記基板部８０の左右方向（図７の紙面に直交する方向）両側位置から下方に延びる側板部８３，８３とを備えたものである。前側の支持脚部８１には下端縁に沿って斜め下向きに折曲された端縁８１１′が形成されている。また、上記各側板部８３の下端前側位置には前方（外部継手５の側）に開口する横向きのＶの字状の挟み付け片８４が形成されている。この各挟み付け片８４は上記スリット孔３３の前端まで押し込まれた状態では、底板３を上下から挟み付けて内部タンク２の前方移動及び上下方向移動をいずれも確実に阻止し得るようになっている。これと同時に上記の押し込まれた状態で、後側の連結片部３１に上記後側の支持脚部８２が当接するようになっている。そして、このような各挟み付け片８４がスリット孔３３の前端まで押し込まれた状態で、接続継手７が外部継手５の受入孔５６内に嵌入して接続完了状態になるように位置設定されている。
【００５４】
なお、上記各スリット孔３３のスリット幅から上記各挟み付け片８４の板厚を差し引いた隙間寸法も第１実施形態と同様な微小寸法（例えば０．５〜１ミリ）に設定されて、左右方向への変位を規制しつつ前後方向への移動案内が行われるようにされている。加えて、上記隙間寸法に基づいて第１実施形態と同様に受入口５６１（図５及び図８参照）の先端開口径ｄ1の寸法が設定されている。これにより、Ｏリング７５の損傷発生を防止してシール性の維持が図られている。
【００５５】
この第２実施形態の取付手順も第１実施形態と同様に、事前作業として、外部継手５を固定した補強ブラケット９を底板３に予め固定しておく一方、内部タンク２に対して電磁ポンプ６、接続継手７及び支持ブラケット８を予め固定して一体化しておく。
【００５６】
そして、一体化した内部タンク２を接続継手７が外部継手５に正対する向きに配置し、両挟み付け片８４，８４がそれぞれスリット孔３３の手前位置に入り込むようにして支持ブラケット８を底板３上に載置する（図８に二点鎖線で示す支持ブラケット８参照）。このまま、支持ブラケット８と共に内部タンク２の全体を前方（外部継手５側）にスライドさせ、上記各挟み付け片８４がスリット孔３３の前端に当止されて底板３を上下から挟み付けると同時に後側の支持脚部８２が連結片部３１に当接するまで押し込む（図８に一点鎖線で示す支持ブラケット８参照）。この少し手前位置で挿入部７１の先端角部が外部継手５の受入口５６１のテーパ面に当たり、内部タンク２がそのまま前方に押し込まれることにより、上記テーパ面に案内されて挿入部７１が外部継手５の受入孔５６内に圧入気味に押し込まれて接続が完了する（図７参照）。最後に上記後側の支持脚部８２と連結片部３１とをネジ１１により連結すれば、内部タンク２の取付作業が完了する。この後、サイドカバー４等の外装カバーを装着すればよい。
【００５７】
そして、メンテナンス上、内部タンク２の取り外しや交換が必要になった場合には、上記ネジ１１を外し、内部タンク２の全体を後方に引き抜くだけで、外部継手５から接続継手７を外すことができる。
【００５８】
この第２実施形態の場合には、第１実施形態の場合と同様な効果を得ることができる上に、内部タンク２が１箇所のネジ１１止めと、接続継手７及び外部継手５の接続とによる底板３への固定に加え、両挟み付け片８４，８４による底板３の挟み付けにより上下方向及び前方へのずれが確実に阻止された状態での固定を得ることができる。
【００５９】
＜他の実施形態＞
なお、本発明は上記第１及び第２実施形態に限定されるものではなく、その他種々の実施形態を包含するものである。すなわち、上記第１及び第２実施形態では、外部継手５を補強ブラケット９に固定するようにしているが、これに限らず、上記外部継手５を例えばサイドカバー４等のハウジング側に固定するようにしてもよい。
【００６０】
上記第１及び第２実施形態では、液体燃料を貯留するための内部タンク２に対し本発明を適用しているが、これに限らず、外部配管と燃焼器側との間でやりとりされる湯水の一時貯留用の内部タンクに対し本発明を適用するようにしてもよい。
【００６１】
上記第１及び第２実施形態では、後側の支持脚部８２と、底板３の連結片部３１との連結を１本のネジ１１により行っているが、これに限らず、上記両者８２，３１の連結を２本以上のネジにより行ってももちろんよい。
【００６２】
上記第１及び第２実施形態では、接続継手７が外部継手５に対し嵌入することにより接続される構成を示しているが、これに限らず、逆に接続継手が外部継手に対し外嵌することにより接続されるようにしてもよい。
【００６３】
上記第１実施形態では、当止片８１２と長孔３２との組み合わせを１つのみとしているが、これに限らず、その組み合わせを左右両側位置にそれぞれ適用してもよい。
【００６４】
上記第２実施形態では、挟み付け片８４とスリット孔３３との組み合わせを２つ適用しているが、これに限らず、例えば支持ブラケット８の左右方向中間位置に上記組み合わせを１つのみ適用するようにしてもよい。
【００６５】
支持ブラケット８の前側支持脚部材８１と、ハウジングの底部である底板３との取付け構造として、例えば図９又は図１０に示す構成を採用するようにしてもよい。なお、図９及び図１０の支持ブラケット８には、図示を省略しているが共に内部タンク２（例えば図２参照）が予め固定され、また、連結片部３１と連結される後側支持脚部８２（例えば図４参照）を備えている。
【００６６】
図９に示すものは、支持ブラケット８に対しその前側支持脚部８１の上下方向に適宜の位置に挿入孔８１３を形成する一方、ハウジングの底板３にはその挿入孔８１３に対し前後方向から挿入して係合される挿入片３５を形成したものである。すなわち、まず、支持ブラケット８を底板３上の接続継手７が外部継手５に略正対させた状態に載置させる。次に、その支持ブラケット８を内部タンクと共に底板３上に沿って前方に移動させると、前側支持脚部８１の端縁８１１の先端が上記挿入片３５の立ち上がり部３５ａに突き当たると同時に、上記挿入孔８１３に対し挿入片３５の挿入部３５ｂが自動的に挿入されるようになっている。そして、挿入片３５が挿入孔８１３に対し挿入された状態では、上記端縁８１１と立ち上がり部３５ａとの当止により支持ブラケット８（つまり内部タンク）の前方への移動が阻止される一方、挿入部３５ｂと挿入孔８１３の孔縁との係合により支持ブラケット８の上下方向及び左右方向に対する双方の相対変位が規制されることになる。なお、上記挿入片３５は例えば底板３の一部を切り起こすことにより形成すればよく、この場合には、上記挿入孔８１３は上記挿入片３５の挿入部３５ｂの断面形状と略合致するサイズのスリット状の長孔として形成すればよい。
【００６７】
また、図１０に示すものは、支持ブラケット８に対しその前側支持脚部８１の下部を斜め前方に延びる端縁８１１ａとし、この端縁８１１ａの左右方向の中間位置に略Ｖの字状もしくは台形状の係合凹部８１４を形成したものである。加えて、ハウジングの底板３には上記係合凹部８１４に対し前後方向からはまり込む係合片３６を形成したものである。上記係合凹部８１４を構成する両側縁８１４ａ，８１４ａは上記係合片３６のはまり込みを案内するために外方に開くテーパ状に形成され、係合凹部８１４の奥部が上記係合片３６の押さえ込み部３６ｂの左右方向寸法に略合致する寸法に設定されている。また、上記係合片３６は底板３から立ち上がる立ち上がり部３６ｂと、上記係合凹部８１４内にはまり込んだ状態で端縁８１１ａの前面に密着して下向きに押さえ込む押さえ込み部３６ｂとを備えている。
【００６８】
この場合の取付手順は、まず、支持ブラケット８を底板３上の接続継手７が外部継手５に略正対させた状態に載置させる。次に、その支持ブラケット８を内部タンクと共に底板３上に沿って前方に移動させると、上記係合片３６が上記両側縁８１４，８１４ａに案内されて係合凹部８１４内に入り込み、上記立ち上がり部３６ａが係合凹部８１４の奥端に突き当たってはまり込むことにより、押さえ込み部３６ｂが端縁８１１ａに密着して当接することになる。この状態では、上記立ち上がり部３６ｂが係合凹部８１４にはまり込むことにより、支持ブラケット８（つまり内部タンク）の前方への移動及び左右方向への相対変位が阻止される一方、上記押さえ込み部３６ｂが端縁８１１ａに上から当接することにより上記支持ブラケット８の上下方向への相対変位が阻止されることになる。
【００６９】
なお、上記係合片３６は例えば底板３の一部を切り起こすことにより形成すればよい。また、上記係合片３６として立ち上がり部３６ａを省略して押さえ込み部３６ｂのみにより構成し、係合凹部８１４を省略するようにしてもよい。この場合でも、上記抑え込み部３６ｂが端縁８１１ａに上から当接して支持ブラケット８の上下方向の相対変位を阻止し得る。さらに、上記係合片３６として、押さえ込み部３６ｂを省略して立ち上がり部３６ａのみにより構成するようにしてもよい。この場合でも、その立ち上がり部３６ａが係合凹部８１４にはまり込むことにより上記支持ブラケット８の左右方向への相対変位を阻止し得る。さらに、この場合の前側支持脚部８１の端縁としては、上記の如く傾斜した端縁８１１ａの代わりに図９に示すような底板３に面接触するような端縁８１１とし、この端縁８１１に上記の如き係合凹部８１４を形成するようにしてもよい。
【図面の簡単な説明】
【図１】本発明の第１実施形態を示す部分平面図である。
【図２】図１のＡ−Ａ線から見た拡大正面説明図である。
【図３】内部タンクの全体斜視図である。
【図４】内部タンクを省略して支持ブラケットと外部継手等との関係を示す分解斜視図である。
【図５】接続継手及び外部継手等の分解説明図である。
【図６】長孔と当止片との関係を示す断面説明図である。
【図７】第２実施形態を示す図２対応図である。
【図８】第２実施形態の場合の図４対応図である。
【図９】他の実施形態を示す部分斜視図である。
【図１０】図９以外の他の実施形態を示す部分斜視図である。
【図１１】従来の取付構造の例を示す斜視図である。
【図１２】図１１のものについての図１対応図である。
【図１３】図１２のＢ−Ｂ線から見た断面説明図である。
【符号の説明】
２              内部タンク
３              底板（底部、ハウジング）
４              サイドカバー（ハウジング）
５              外部継手
７              接続継手
８              支持ブラケット
９              補強ブラケット
１０            小径Ｏリング（シーリング部材）
３１            連結片部
３２            長孔
３３            スリット孔
５４            内側端部
７５            Ｏリング
８１            前側支持脚部（前側部位）
８２            後側支持脚部（後側部位）
８４            挟み付け片
１０３          外部配管
５６１          受入口
７３２          接続継手の端面
８１２          当止片
ｄ1             先端開口径
ｄ2             先端外径
δ              隙間寸法
【図１】
0004273287.tif 000002
【図２】
0004273287.tif 000003
【図３】
0004273287.tif 000004
【図４】
0004273287.tif 000005
【図５】
0004273287.tif 000006
【図６】
0004273287.tif 000007
【図７】
0004273287.tif 000008
【図８】
0004273287.tif 000009
【図９】
0004273287.tif 000010
【図１０】
0004273287.tif 000011
【図１１】
0004273287.tif 000012
【図１２】
0004273287.tif 000013
【図１３】
0004273287.tif 000014